(57)【要約】【課題】  現場に行かずに虚偽の点検結果を登録することを防止する。【解決手段】  上下水道などのプラント設備の点検結果を携帯端末１に入力することにより、点検結果を管理する保全点検システムにおいて、点検対象２に非接触ＩＣタグ５を取り付け、点検対象２の近傍には点検結果読み取り装置３を設置し、携帯端末１は非接触ＩＣタグ５に点検結果を書き込むことができ、保全点検データ管理サーバ４は点検結果読み取り装置３が非接触ＩＣタグ５から読取った点検結果を収集する。【選択図】        図１
2006228082.tif 000002
【特許請求の範囲】
【請求項１】
点検対象に取り付けられるとともに、携帯端末からデータを読み書きできる非接触ＩＣタグと、上記点検対象の近傍に設置されるとともに、上記非接触ＩＣタグに記録された情報を読み取ることができる点検結果読み取り装置と、この点検結果読み取り装置から情報を受信するとともに、この情報を保管する保全点検データ管理サーバとを備えたことを特徴とする保全点検システム。
【請求項２】
点検対象に取り付けられるとともに、携帯端末からデータを読み書きできる非接触ＩＣタグ及びセンサを有するワイヤレスセンサ子局と、上記点検対象の近傍に設置されるとともに、上記非接触ＩＣタグに記録された情報及び上記センサによって検知されたデータを受信することができるワイヤレスセンサ親局と、このワイヤレスセンス親局から上記情報及びデータを取得するとともに、情報及びデータを保管する保全点検データ管理サーバとを備えたことを特徴とする保全点検システム。
【請求項３】
点検開始地点に取り付けられるとともに、点検者が有する非接触ＩＣタグに点検開始時刻を書き込む通過時刻登録装置と、点検終了地点に取り付けられるとともに、上記非接触ＩＣタグに点検終了時刻を書き込む通過時刻登録装置を備えたことを特徴とする保全点検システム。
【請求項４】
点検開始地点に取り付けられるとともに、点検者が有する非接触ＩＣタグから点検者ＩＤを読み取る点検者読み取り装置と、この点検者読み取り装置から点検者ＩＤを受け取り、保管する保全点検データ管理サーバを備え、上記保全点検データ管理サーバは、点検終了後、点検者から入力された点検者ＩＤと保管されている点検者ＩＤとが一致したとき、点検結果をアップロードすることを許可することを特徴とする保全点検システム。
【請求項５】
点検対象施設に設置されるとともに、点検者が所有する非接触ＩＣタグから点検者ＩＤを読み取り、点検を許可するか否かを判断する点検許可装置と、この点検許可装置から点検許可信号を受け取ることにより、点検者によって点検結果が入力される携帯端末とを備えたことを特徴とする保全点検システム。
【請求項６】
点検対象施設に設置されるとともに、点検者が所有する非接触ＩＣタグから点検者ＩＤを読み取り、点検を許可するか否かを判断する点検許可装置と、この点検許可装置から点検許可信号を受け取ることにより、上記点検対象施設の点検項目を携帯端末に送信する保全点検データ管理サーバとを備えたことを特徴とする保全点検システム。
【請求項７】
点検開始地点に設置されるとともに、点検者が所有する非接触ＩＣタグから点検者ＩＤを読み取り、点検を許可するか否かを判断する点検許可装置と、この点検許可装置から点検許可信号を受け取ることにより、独特の点検者ＩＤを発行する保全点検データ管理サーバと、上記独特の点検者ＩＤを上記保全点検データ管理サーバから上記点検許可装置及び非接触ＩＣタグを介して受け取るとともに、点検結果が入力される携帯端末とを備え、上記保全点検データ管理サーバは、点検終了後、点検者から入力された独特の点検者ＩＤと、発行された点検者ＩＤとが一致したとき、点検結果をアップロードすることを許可することを特徴とする保全点検システム。
【発明の詳細な説明】
【技術分野】
【０００１】
この発明は、上下水道等のプラント設備を巡回して点検する際に、点検を支援するとともに、点検者が正しく点検を行うことを促進するためのプラント点検システムに関するものである。
【背景技術】
【０００２】
従来の保全点検システムにおいては、点検結果の管理を効率化するために、携帯端末において、点検項目を表示するとともに、点検結果を携帯端末に入力し、点検データをパソコンに転送し、パソコンにおいてデータベースに保存し、管理するものがあった。
また、上記のような携帯端末を用いた保全点検システムにおいて、点検ミスや、故意の点検漏れを防止するために、設備ＩＤを書き込んだ非接触ＩＣタグを設備に設け、携帯端末が設備ＩＤを読み込まなければ、点検結果を入力できないように構成した保全点検システムもある(例えば、特許文献１)。
【０００３】
【特許文献１】特開平１０−２２２５４３号公報
【発明の開示】
【発明が解決しようとする課題】
【０００４】
従来の保全点検システムは上記のように構成されているので、同じ設備ＩＤを持つ非接触ＩＣタグを準備することにより、設備現場に行かずに虚偽の点検結果を入力することが可能であるという問題点があった。
【０００５】
この発明は上記のような課題を解決するためになされたものであり、設備現場に行かずに虚偽の点検結果を入力することを防止することができる保全点検システムを得ることを目的とする。
【課題を解決するための手段】
【０００６】
この発明に係る保全点検システムは、点検対象に取り付けられるとともに、携帯端末からデータを読み書きできる非接触ＩＣタグと、点検対象の近傍に設置されるとともに、非接触ＩＣタグに記録された情報を読み取ることができる点検結果読み取り装置と、この点検結果読み取り装置から情報を受信するとともに、この情報を保管する保全点検データ管理サーバとを備えたものである。
【発明の効果】
【０００７】
この発明に係る保全点検システムによれば、点検対象に取り付けられるとともに、携帯端末からデータを読み書きできる非接触ＩＣタグと、点検対象の近傍に設置されるとともに、非接触ＩＣタグに記録された情報を読み取ることができる点検結果読み取り装置と、この点検結果読み取り装置から情報を受信するとともに、この情報を保管する保全点検データ管理サーバとを備えたので、点検結果を入力するためには必ず現場に行く必要があり、現場に行かずに虚偽の点検結果を入力することを防止することができる。
【発明を実施するための最良の形態】
【０００８】
実施の形態１．
以下、この発明の一実施形態を図に基づいて説明する。図１はこの発明の実施形態１による保全点検システムを示す概略図である。
図１において、この保全点検システムは、携帯端末１と、点検対象２と、点検結果読み取り装置３と保全点検データ管理サーバ４から構成されている。点検者は点検時に携帯端末１を携帯して、点検結果をこの携帯端末１に入力する。非接触ＩＣタグ５は点検対象２に取付けられ、携帯端末１は電波信号を用いることによって、非接触ＩＣタグ５に、接触することなしにデータの読み書きを行うことができる。
【０００９】
点検結果読み取り装置３は、点検対象２の近傍に設置され、電波信号を用いることによって、非接触ＩＣタグ５に記録された情報を非接触ＩＣタグ５に接触しないで読み取ることができる。保全点検データ管理サーバ４は、点検結果読み取り装置３とネットワーク６により接続され、点検結果を管理するものである。
尚、複数の非接触ＩＣタグ５に対して、１つの点検結果読み取り装置３が結合されており、更に複数の点検結果読み取り装置３に対して、１つの保全点検データ管理サーバ４が結合されている。
【００１０】
携帯端末１は、制御装置７、表示装置８、入力装置９、記憶装置１０、タグリーダ／ライタ１１とから構成されている。制御装置７は携帯端末１の各部品を制御するものであり、中央演算装置(ＣＰＵ)等により構成される。
表示装置８は液晶ディスプレイ等から構成されており、各種情報を表示するものである。
【００１１】
入力装置９はタッチパネル、キーボード等から構成されており、ユーザはこの入力装置９に各種情報を入力するものである。記憶装置１０はＲＯＭ、ＲＡＭ、ハードディスク等から構成されており、実行されるプログラムの他に点検項目や点検順序、点検結果等の点検業務において使用される情報を格納するものである。
【００１２】
タグリーダ／ライタ１１は非接触ＩＣタグ５に対して電波信号を用いて非接触にデータの読み書きを行うものである。上記のような部品を使用することにより、携帯端末１は巡回点検を支援するためのプログラムを実行することができ、携帯端末１は点検項目を表示するとともに、点検結果を入力することができる。
【００１３】
点検結果読み取り装置３は、制御装置１２、時計１３、タグリーダ１４及びネットワークインタフェース１５とから構成されている。
制御装置１２は点検結果読み取り装置３の各部品を制御するものであり、ＣＰＵ等により構成される。
時計１３は制御装置１２に時刻を通知するものである。
【００１４】
タグリーダ１４は電波信号を用いることによって非接触に非接触ＩＣタグ５に格納されたデータを読み取るものであり、遠くにある非接触ＩＣタグ５に格納されたデータを読み取ることができる。ネットワークインタフェース１５はイーサネット（登録商標）や電力線搬送通信、無線ＬＡＮ等のネットワーク６を介して、保全点検データ管理サーバ４と通信するための通信手段である。
タグリーダ１４は複数の非接触ＩＣタグ５のデータを読み取るので、数メートルから数十メートルの距離から読み取ることができるように構成することが望ましい。
【００１５】
保全点検データ管理サーバ４は、制御装置１６、表示装置１７、入力装置１８、記憶装置１９及びネットワークインタフェース２０とから構成されている。
制御装置１６は保全点検データ管理サーバ４の各部品を制御するものであり、ＣＰＵ等により構成される。
【００１６】
表示装置１７は液晶ディスプレイ等から構成されており、各種情報を表示するものである。入力装置１８はキーボード、マウス等から構成されており、ユーザは入力装置１８に各種情報を入力するものである。
記憶装置１９はハードディスク等から構成されており、実行されるプログラムの他に点検項目や点検順序、点検結果等の点検業務において使用される情報を格納するものである。
【００１７】
ネットワークインタフェース２０はイーサネット（登録商標）や電力線搬送通信等のネットワーク６を介して、点検結果読み取り装置３と通信するための通信手段である。
上記のような部品を使用することにより、保全点検データ管理サーバ４は保全点検業務を支援するためのプログラムを実行することができ、保全点検データ管理サーバ４は点検項目、点検スケジュール及び点検結果等を管理することができる。
【００１８】
次に動作について説明する。
点検者は点検前に携帯端末１に点検スケジュールをダウンロードし、点検者は現場に行って、点検を開始する。
携帯端末１においては、あらかじめ設定された点検スケジュールによる順番に従って点検対象２及び点検項目が表示されるので、点検者は表示された点検対象２の近くに行き、点検対象２の点検項目を検査して、携帯端末１に点検結果を入力する。
【００１９】
このとき、点検対象２に取り付けられた非接触ＩＣタグ５に固有のＩＤ(identification)を記録しておき、点検時にＩＤを携帯端末１のタグリーダ／ライタ１１で読み取ることにより、点検対象２を特定するようにしても良い。このように構成すれば、点検の間違いを減らすことができる。
点検者は点検結果を入力した後、携帯端末１のタグリーダ／ライタ１１を非接触ＩＣタグ５に近づけ、入力した点検結果を非接触ＩＣタグ５に書き込む。
【００２０】
点検者が点検対象を間違えて書き込もうとした場合、非接触ＩＣタグ５がエラー信号を出すように構成することにより、点検間違いを減らすことができる。点検者が点検結果の書き込みを終えた後、点検者は次の点検対象に行き、同様に非接触ＩＣタグ５に点検結果を入力し、上記動作を繰り返すことにより、巡回点検を行う。
全ての点検を終了した後、点検結果読み取り装置３は、指定された時刻に、近傍の非接触ＩＣタグ５に入力された点検結果を読み取り、読み取られた点検結果は、ネットワーク６を介して保全点検データ管理サーバ４に送信される。
【００２１】
保全点検データ管理サーバ４は、送信された点検結果を記憶装置１９に於ける点検データベースに保管する。
上記のように、夫々の点検対象に取り付けられた非接触ＩＣタグ５に点検結果が書き込まれ、これら点検結果が点検結果読み取り装置３によって収集されるように構成したものである。従って、点検結果を入力するためには必ず現場に行く必要があり、現場に行かずに虚偽の点検結果を入力することを防止することができる。
【００２２】
更に保全点検データ管理サーバ４が点検結果を収集する際、間に点検結果読み取り装置３が介在し、この点検結果読み取り装置３が非接触ＩＣタグ５に収納された点検結果を読み取るようにしたので、従来のように逐一点検対象２にまでデータを取りに行く必要がなくなる。
【００２３】
実施の形態２．
図２はこの発明の実施の形態２による保全点検システムを示す概略図である。図２においては、点検対象２が回転機械である場合、故障の発生を未然に防止するために利用される振動や温度等のセンシングデータと共に点検結果を保全点検データ管理サーバ４に送信できるように、システムを構成したものである。
図２に示された保全点検システムは、携帯端末１と点検対象２とワイヤレスセンサ親局２１と保全点検データ管理サーバ４から構成されている。
【００２４】
点検者は点検時に携帯端末１を携帯して、点検結果をこの携帯端末１に入力する。ワイヤレスセンサ子局２２は点検対象２に取付けられ、非接触ＩＣタグ５を内部に有している。携帯端末１は電波信号を用いることによって、非接触ＩＣタグ５に、接触することなしにデータの読み書きを行うことができる。ワイヤレセンサ親局２１は、点検対象２の近傍に設置され、ワイヤレセンサ子局２２と無線で通信することにより、データを収集するものである。保全点検データ管理サーバ４はワイヤレスセンサ親局２１とネットワーク６を介して接続され、点検結果を管理するものである。
【００２５】
ワイヤレセンサ子局２２は、非接触ＩＣタグ５、センサ２３、制御装置２４及び無線通信局２５とから構成されている。
センサ２３は振動、温度等を検知するためのセンサである。制御装置２４はワイヤレスセンサ子局２２の各部品を制御するものであり、ＣＰＵ等により構成される。無線通信局２５は無線通信によりワイヤレスセンサ親局２１と通信するものである。
【００２６】
ワイヤレスセンサ親局２１は、無線通信局２６、制御装置２７、時計２８及びネットワークインタフェース２９とから構成されている。
無線通信局２６は無線通信によりワイヤレスセンサ子局２２と通信するものである。
制御装置２７はワイヤレスセンサ親局２１の各部品を制御するものであり、ＣＰＵ等により構成される。時計２８は制御装置２７に時刻を通知するものである。
【００２７】
ネットワークインタフェース２９はイーサネット（登録商標）や電力線搬送通信、無線ＬＡＮ等のネットワーク６を介して保全点検データ管理サーバ４と通信するための通信手段である。
尚、複数のワイヤレセンサ子局２２に対して、１つのワイヤレスセンサ親局２１が結合されており、更に複数のワイヤレスセンサ親局２１に対して、１つの保全点検データ管理サーバ４が結合されている。
【００２８】
次に動作について説明する。図１に示された保全点検システムの場合と同様、点検者は点検対象２に行き、携帯端末１に点検結果を入力し、さらにこの点検結果を非接触ＩＣタグ５に書き込みを行なって点検を行う。
本実施形態の場合は、ワイヤレスセンサ親局２１は、指定された時刻に近傍のワイヤレセンサ子局２０に対して振動、温度等のセンシングデータと共に点検結果を収集することを要求し、ワイヤレセンサ子局２２はこの要求に応じて、センシングデータと点検結果を無線通信によりワイヤレスセンサ親局２１に送信する。
【００２９】
ワイヤレスセンサ親局２１はセンシングデータと点検結果をネットワーク６を介して保全点検データ管理サーバ４に送信する。
保全点検データ管理サーバ４は、送信されてきた点検結果を記憶装置１９における点検データベースに保管する。
【００３０】
上記のように、各々の点検対象２に取り付けられたワイヤレセンサ子局２２に点検結果が書き込まれ、これら点検結果がセンシングデータと共にワイヤレスセンサ親局２１によって収集されるように構成したものである。従って点検結果を入力するためには必ず現場に行く必要があり、現場に行かずに虚偽の点検結果を入力することを防止することができる。
【００３１】
更に故障の発生を未然に防止する為に利用されるセンシングデータも同じ通信経路により収集することができる。即ち実施の形態１においては、非接触ＩＣタグ５には電池が存在しないので、センシングデータを取得し、送信することができないが、実施の形態２においては、無線通信を採用しており、ワイヤレスセンサ子局における無線通信局２５には電池があるので、センサ２３を駆動することができ、従ってセンサ２３からセンシングデータを取得し送信することができるのである。
【００３２】
実施の形態３．
図３はこの発明の実施の形態３による保全点検システムを示す概略図である。図３に示された保全点検システムは、点検開始地点３１に設置された通過時刻登録装置３２と、点検終了地点３３に設置された通過時刻登録装置３４から構成されている。
通過時刻登録装置３２、３４は電波信号を用いることによって、点検者が有する非接触ＩＣタグ３５に通過時刻を非接触に登録するものである。又非接触ＩＣタグ３５は、通過時刻登録装置３２、３４からの電波信号を用いることによって、非接触にデータを読み書きすることができる。
【００３３】
通過時刻登録装置３２,３４は、制御装置３００、時計３６、タグリーダ／ライタ３７とから構成されている。制御装置３００は通過時刻登録装置３２、３４の各部品を制御するものであり、ＣＰＵ等により構成される。時計３６は制御装置３００に時刻を通知するものである。タグリーダ／ライタ３７は非接触ＩＣタグ３５に対して電波信号を用いることによって、非接触にデータを読み書きするものである。
【００３４】
次に動作について説明する。点検者は点検開始地点３１に行き、点検者が携帯する非接触ＩＣタグ３５を通過時刻登録装置３２に近づける。通過時刻登録装置３２は時計３６によって、現在の時刻を通知され、タグリーダ／ライタ３７は非接触ＩＣタグ３５に現在の時刻と点検開始地点３１を示している識別ＩＤを通知する。
その後、点検者は点検を実施し、点検終了地点３３に行き、携帯する非接触ＩＣタグ３５を通過時刻登録装置３４に近づける。通過時刻登録装置３４は、非接触ＩＣタグ３５に現在の時刻と点検終了地点３３を示している識別ＩＤを通知する。
【００３５】
このように、点検開始地点３１及び点検終了地点３３に於ける通過時刻が非接触ＩＣタグ３５に書き込まれるので、点検者がその地点に行ったことを確実に証明することができる。またその地点を通過した時刻から点検に要した時間の妥当性が判断できるため、現場に行かずに虚偽の点検結果を入力することを防止することができる。更に実施の形態１，２と異なり、点検データベースを必要としないので、点検項目をコンピューター言語によって登録する必要がない。
【００３６】
実施の形態４．
図４はこの発明の実施形態４による保全点検システムを示す概略図である。この保全点検システムは、携帯端末１と、非接触ＩＣタグ３５と、点検開始地点３１に設置された点検者情報読み取り装置４１と、保全点検データ管理サーバ４から構成されている。
【００３７】
点検者は点検時に携帯端末１を携帯して、点検結果をこの携帯端末１に入力する。点検者情報読み取り装置４１は、点検開始地点３１に設置されており、電波信号を用いることによって非接触ＩＣタグ３５に記録された点検者ＩＤを非接触に読み取る。非接触ＩＣタグ３５のデータは、点検者情報読み取り装置４１により電波信号を用いることによって非接触に読み取られるものである。
保全点検データ管理サーバ４は、点検者情報読み取り装置４１とネットワーク６を介して接続され、点検結果を管理するものである。
【００３８】
携帯端末１は、制御装置７、表示装置８、入力装置９、記憶装置１０、タグリーダ／ライタ１１及びネットワークインタフェース４２とから構成されている。ネットワークインタフェース４２は保全点検データ管理サーバ４と通信するための通信手段であり、図４においては、共通のネットワーク６を介して保全点検データ管理サーバ４と接続されているが、赤外線通信によって、保全点検データ管理サーバ４と接続されてもよい。
上記のように構成することにより、携帯端末１は巡回点検を支援するためのプログラムを実行することができ、更に点検項目を表示し、あるいは点検結果を入力することができる。
【００３９】
点検者情報読み取り装置４１は、制御装置４３、タグリーダ４４、ネットワークインタフェース４５とから構成されている。
制御装置４３は点検者情報読み取り装置４１の各部品を制御するものであり、ＣＰＵ等により構成される。
【００４０】
タグリーダ４４は非接触ＩＣタグ３５におけるデータを電波信号を用いることによって非接触に読み取ることができ、ネットワークインタフェース４５はイーサネット（登録商標）等から構成されるネットワーク６を介して、保全点検データ管理サーバ４と通信するための通信手段である。
【００４１】
保全点検データ管理サーバ４は、制御装置１６、表示装置１７、入力装置１８、記憶装置１９及びネットワークインタフェース２０とから構成されている。
上記のように構成することにより、保全点検データ管理サーバ４は保全点検業務を支援するためのプログラムを実行することができ、点検項目、点検スケジュール、点検結果等を管理することができる。
【００４２】
次に動作について説明する。点検者が点検開始地点３１に行き、点検者が携帯する非接触ＩＣタグ３５を点検者情報読み取り装置４１に近づける。そして点検者情報読み取り装置４１は非接触ＩＣタグ３５に登録されている点検者ＩＤを読み取る。
読み取られた点検者ＩＤはネットワークインタフェース４５からネットワーク６を経由して保全点検データ管理サーバ４に送信される。
【００４３】
保全点検データ管理サーバ４は点検者ＩＤを受け取り、この点検者ＩＤを記憶装置１９に登録する。その後、点検者は携帯端末１に点検結果を入力し、点検が終了すると携帯端末１から保全点検データ管理サーバ４に点検結果をアップロードする。
【００４４】
点検者は点検結果をアップロードする前に、保全点検データ管理サーバ４に於ける入力装置１８から自分の点検者ＩＤを入力する。保全点検データ管理サーバ４は、入力された点検者ＩＤと保全点検データ管理サーバ４の記憶装置１９に登録されている点検者ＩＤとを照合し、両者が一致すれば、保全点検データ管理サーバ４は点検結果をアップロードすることを許可し、点検者は点検結果をアップロードすることができるようになる。
【００４５】
このように、保全点検データ管理サーバ４が点検開始地点３１において非接触ＩＣタグ３５から読み取られた点検者ＩＤと、点検結果をアップロードする時に点検者によって入力される点検者ＩＤとを照合するので、点検者は確実に現場に行ったことを証明することができ、現場に行かずに虚偽の点検結果を入力することを防止することができる。
【００４６】
実施の形態５．
図５はこの発明の実施形態５による保全点検システムを示す概略図である。この保全点検システムは、携帯端末１と、非接触ＩＣタグ３５と、点検対象施設５１に設置された点検許可装置５２から構成されている。
【００４７】
点検者は点検時に携帯端末１を携帯して、点検結果を入力する。点検許可装置５２は、点検対象施設５１に設置されており、電波信号を用いることによって非接触ＩＣタグ３５に記録された点検者ＩＤを非接触に読み取り、点検を許可するか否かを判断する。非接触ＩＣタグ３５のデータは、点検許可装置５２により電波信号を用いることによって非接触に読み取られるものである。
【００４８】
携帯端末１は、制御装置７、表示装置８、入力装置９、記憶装置１０、タグリーダ／ライタ１１及びネットワークインタフェース４２とから構成されている。
上記のように構成することにより、携帯端末１は巡回点検を支援するためのプログラムを実行することができ、更には点検項目を表示し、あるいは点検結果を入力することができる。
【００４９】
点検許可装置５２は、制御装置５３、タグリーダ５４、ネットワークインタフェース５５及び記憶装置５６とから構成されている。制御装置５３は点検許可装置５２の各部品を制御するものであり、ＣＰＵ等により構成される。タグリーダ５４は非接触ＩＣタグ３５におけるデータを電波信号を用いることによって非接触に読み取ることができる。
【００５０】
ネットワークインタフェース５５は携帯端末１と通信するための通信手段であり、図５においては、携帯端末１と点検許可装置５２は有線によって接続されているが、無線ＬＡＮ、赤外線通信及びBlueTooth等による無線通信によって接続されてもよい。
記憶装置５６はＲＯＭ、ＲＡＭ、ハードディスク等から構成されており、全ての点検者の点検者ＩＤを格納するものである。
上記のように構成することにより、点検許可装置５２は点検者が携帯している非接触ＩＣタグ３５の情報を読み取り、点検者が正しいか否かを判定する。
【００５１】
次に動作について説明する。点検者が点検対象施設５１に行き、点検者が携帯する非接触ＩＣタグ３５を点検許可装置５２に近づける。そして点検許可装置５２は非接触ＩＣタグ３５に登録されている点検者ＩＤを読み取る。
読み取られた点検者ＩＤは点検許可装置５２における記憶装置５６に蓄積されている全ての点検者の点検者ＩＤと照合され、記憶装置５６に該当する点検者の情報が格納されているか否かを点検許可装置５２は判定する。
【００５２】
記憶装置５６が該当する点検者の情報を格納していれば、点検許可装置５２はネットワークインタフェース５５を介して携帯端末１に点検許可の信号と点検対象施設ＩＤを送る。
携帯端末１が点検許可の信号を受信すると、点検者は該当する点検対象施設５１の点検結果を入力することを許可され、点検結果を入力できるようになる。そして最後に点検者は、携帯端末１から図示しない保全点検データ管理サーバにデータをアップロードする。
【００５３】
このように、点検対象施設５１における点検許可装置５２が、非接触ＩＣタグ３５から点検者ＩＤを読み取り、点検者ＩＤ同士が照合され、点検結果を入力することを許可するようにしたので、点検対象施設５１に設置された点検許可装置５２と保全点検データ管理サーバをネットワークによって接続する必要がなくなる。
更に点検許可装置５２は点検者に点検結果を入力することを許可し、許可に基づいて点検者は点検結果を携帯端末１に入力するので、点検者が点検対象施設５１に行ったことを確実に証明することができ、現場に行かずに虚偽の点検結果を入力することを防止することができる。
【００５４】
実施の形態６．
図６はこの発明の実施形態６による保全点検システムを示す概略図である。この保全点検システムは、携帯端末１と、非接触ＩＣタグ３５と、点検対象施設５１に設置された点検許可装置５２と、保全点検データ管理サーバ４から構成されている。
【００５５】
点検者は点検時に携帯端末１を携帯して、点検結果を入力する。点検許可装置５２は、点検対象施設５１に設置されており、電波信号を用いることによって非接触ＩＣタグ３５に記録された点検者ＩＤを非接触に読み取り、点検を許可するか否かを判断する。非接触ＩＣタグ３５のデータは、点検許可装置５２により電波信号を用いることによって非接触に読み取られるものである。
【００５６】
携帯端末１は、制御装置７、表示装置８、入力装置９、記憶装置１０及びネットワークインタフェース４２とから構成されている。
ネットワークインタフェース４２は常にネットワーク６に接続する必要はなく、点検者が点検しているときは接続せずに、必要に応じて接続すればよい。
【００５７】
また、複数の場所において携帯端末１をネットワーク６に接続する必要があるので、無線ＬＡＮ等のような無線通信を採用することが望ましい。
上記のように構成することにより、携帯端末１は巡回点検を支援するためのプログラムを実行することができ、更には点検項目を表示し、あるいは点検結果を入力することができる。
【００５８】
点検許可装置５２は、制御装置５３、タグリーダ５４、ネットワークインタフェース５５及び記憶装置５６とから構成されている。そして点検許可装置５２は点検者が携帯している非接触ＩＣタグ３５の情報を読み取り、点検者が正しいか否かを判定する。
【００５９】
保全点検データ管理サーバ４は、制御装置１６、表示装置１７、入力装置１８、記憶装置１９及びネットワークインタフェース２０とから構成されている。そして保全点検データ管理サーバ４は保全点検業務を支援するためのプログラムを実行することができ、更に点検項目、点検スケジュール及び点検結果等を管理することができる。
【００６０】
次に動作について説明する。点検者が点検対象施設５１に行き、点検者が携帯する非接触ＩＣタグ３５を点検許可装置５２に近づける。そして点検許可装置５２は非接触ＩＣタグ３５に登録されている点検者ＩＤを読み取る。
読み取られた点検者ＩＤは点検許可装置５２における記憶装置５６に蓄積されている全ての点検者の点検者ＩＤと照合され、記憶装置５６に該当する点検者の情報が格納されているか否かを点検許可装置５２は判定する。
【００６１】
記憶装置５６が該当する点検者の情報を格納していれば、点検許可装置５２はネットワークインタフェース５５及びネットワーク６を経由して保全点検データ管理サーバ４に対して点検を許可する旨の信号と点検対象施設ＩＤを送る。
保全点検データ管理サーバ４は、点検許可信号を受信すると、該当する点検対象施設５１の点検項目を抽出し、ネットワークインタフェース２０及びネットワーク６を経由して携帯端末１に点検項目を送信する。
【００６２】
携帯端末１は該当する点検対象施設５１の点検項目を受信すると、表示装置８に該当する点検対象施設５１の点検項目を表示し、点検者は携帯端末１に点検結果を入力できるようになる。そして最後に点検者は携帯端末１から保全点検データ管理サーバ４にデータをアップロードする。
【００６３】
このように、点検対象施設５１における点検許可装置５２が、非接触ＩＣタグ３５から点検者ＩＤを読み取り、点検者ＩＤ同士が照合され、携帯端末１が点検項目を表示するようにしたので、点検者が点検対象施設５１に行ったことを確実に証明することができ、現場に行かずに虚偽の点検結果を入力することを防止することができる。
【００６４】
実施の形態７．
図７はこの発明の実施形態７による保全点検システムを示す概略図である。この保全点検システムは、携帯端末１と、非接触ＩＣタグ３５と、点検開始地点３１に設置された点検許可装置５２と、保全点検データ管理サーバ４から構成されている。
【００６５】
点検者は点検時に携帯端末１を携帯して、点検結果を入力する。点検許可装置５２は、点検開始地点３１に設置されており、電波信号を用いることによって非接触ＩＣタグ３５に記録されたデータを非接触に読み取り、更には非接触ＩＣタグ３５にデータを書き込むことができる。非接触ＩＣタグ３５のデータは、点検許可装置５２により電波信号を用いることによって非接触に読まれるとともに書き込まれる。保全点検データ管理サーバ４は、点検許可装置５２とネットワーク６により接続されており、点検結果を管理するものである。
【００６６】
携帯端末１は、制御装置７、表示装置８、入力装置９、記憶装置１０、タグリーダ／ライタ１１及びネットワークインタフェース４２とから構成されている。
上記のように構成することにより、携帯端末１は巡回点検を支援するためのプログラムを実行することができ、更には点検項目を表示し、あるいは点検結果を入力することができる。
【００６７】
ネットワークインタフェース４２は保全点検データ管理サーバ４と通信するための通信手段であり、図７においては、イントラネット等からなる共通のネットワーク６を介して保全点検データ管理サーバ４と接続されているが、赤外線通信によって、保全点検データ管理サーバ４と接続されてもよい。
【００６８】
点検許可装置５２は、制御装置５３、ネットワークインタフェース５５、記憶装置５６及びタグリーダ／ライタ７１とから構成されている。
そして点検許可装置５２は点検者が携帯している非接触ＩＣタグ３５の情報を読み取り、点検者が正しいか否かを判定するとともに、非接触ＩＣタグ３５に保全点検データ管理サーバ４によって発行される点検者ＩＤを書き込む。
【００６９】
保全点検データ管理サーバ４は、制御装置１６、表示装置１７、入力装置１８、記憶装置１９及びネットワークインタフェース２０とから構成されている。そして保全点検データ管理サーバ４は保全点検業務を支援するためのプログラムを実行することができ、更に点検項目、点検スケジュール及び点検結果等を管理するとともに、点検開始時に点検者に対して独特のＩＤを発行する。
【００７０】
次に動作について説明する。点検者が点検開始地点３１に行き、点検者が携帯する非接触ＩＣタグ３５を点検許可装置５２に近づける。そして点検許可装置５２は非接触ＩＣタグ３５に登録されている点検者ＩＤを読み取る。
読み取られた点検者ＩＤは点検許可装置５２における記憶装置５６に蓄積されている全ての点検者の点検者ＩＤと照合され、記憶装置５６に該当する点検者の情報が格納されているか否かを点検許可装置５２は判定する。
【００７１】
記憶装置５６が該当する点検者の情報を格納していれば、点検許可装置５２はネットワークインタフェース５５及びネットワーク６を経由して保全点検データ管理サーバ４に対して点検を許可する旨の信号を送信する。
保全点検データ管理サーバ４は、点検許可信号を受け取ると、独特の点検者ＩＤを発行する。
【００７２】
保全点検データ管理サーバ４は独特の点検者ＩＤをネットワークインタフェース２０及びネットワーク６を経由して点検許可装置５２に対して送信し、点検許可装置５２は、独特の点検者ＩＤを受信すると、タグリーダ／ライタ７１を使用することにより、非接触ＩＣタグ３５に独特の点検者ＩＤを書き込む。
その後、点検者は非接触ＩＣタグ３５を携帯端末１に近づけ、非接触ＩＣタグ３５に書き込まれた独特の点検者ＩＤは携帯端末１のタグリーダ／ライタ１１により読み込まれる。
【００７３】
携帯端末１は独特の点検者ＩＤを読み込むと、記憶装置１０に独特の点検者ＩＤを格納すると共に、点検者が点検結果を入力することを許可する。
点検が終了すると、点検者は携帯端末１に格納された点検結果を保全点検データ管理サーバ４にアップロードする。点検結果をアップロードをする際、携帯端末１は記憶装置１０に格納された独特の点検者ＩＤを保全点検データ管理サーバ４に送り、保全点検データ管理サーバ４によって発行された点検者ＩＤと照合される。そして両者が一致すれば点検結果のアップロードが許可され、点検結果のアップロードが可能となる。
【００７４】
このように、点検開始地点３１で入手された点検者ＩＤと点検結果を点検者が保全点検データ管理サーバ４にアップロードする時に、保全点検データ管理サーバ４は発行された点検者ＩＤと入手された点検者ＩＤとを照合するようにしたので、点検者が点検開始地点３１に行ったことを確実に証明することができ、現場に行かずに虚偽の点検結果を入力することを防止することができる。
【図面の簡単な説明】
【００７５】
【図１】この発明の実施の形態１による保全点検システムを示す概略図ある。
【図２】この発明の実施の形態２による保全点検システムを示す概略図ある。
【図３】この発明の実施の形態３による保全点検システムを示す概略図ある。
【図４】この発明の実施の形態４による保全点検システムを示す概略図ある。
【図５】この発明の実施の形態５による保全点検システムを示す概略図ある。
【図６】この発明の実施の形態６による保全点検システムを示す概略図ある。
【図７】この発明の実施の形態７による保全点検システムを示す概略図ある。
【符号の説明】
【００７６】
１  携帯端末、２  点検対象、３  点検結果読み取り装置、
４  保全点検データ管理サーバ、５，３５  非接触ＩＣタグ、
２１  ワイヤレスセンサ親局、２２  ワイヤレスセンサ子局、２３  センサ、
３１  点検開始地点、３２，３４  通過時刻登録装置、３３  点検終了地点、
４１  点検者読み取り装置、５１  点検対象施設、５２  点検許可装置。
【図１】
2006228082.tif 000003
【図２】
2006228082.tif 000004
【図３】
2006228082.tif 000005
【図４】
2006228082.tif 000006
【図５】
2006228082.tif 000007
【図６】
2006228082.tif 000008
【図７】
2006228082.tif 000009